(57)【要約】【課題】回転体に回転力を与えない無駄な流れを制限し、発電効率を向上させる水栓用発電機及び発電機付自動水栓装置を提供すること。【解決手段】筒体の中心軸のまわりに回転可能に筒体の内部に設けられた動翼と、動翼よりも上流の筒体内部に筒体に対して固定して設けられた静翼と、動翼の周面を囲むように動翼の翼部に設けられ、周方向に隣り合う翼部間の空間と、その翼部と筒体の内周面との間の空間とを隔てる動翼リングと、軸中心を動翼の回転軸に一致させて、動翼より下流側の筒体の内部に設けられ、動翼と一体となって筒体の中心軸のまわりに回転可能なマグネットと、筒体の管壁を間に挟んでマグネットに対向して筒体の外部に設けられた第１のコイルと、を備えている。【選択図】図１
2007274855.tif 000002
【特許請求の範囲】
【請求項１】
内部が給水流路に連通され、給水が流れる方向に対して、軸方向を略平行にして設けられる筒体と、
径外方に突出した複数の翼部を有し、前記筒体の中心軸のまわりに回転可能に前記筒体の内部に設けられた動翼と、
径外方に突出して形成され旋回流を形成する複数の固定翼部を有し、前記動翼よりも上流の前記筒体内部に前記筒体に対して固定して設けられた静翼と、
前記動翼の周面を囲むように前記翼部に設けられ、周方向に隣り合う翼部間の空間と、前記翼部と前記筒体の内周面との間の空間と、を隔てる動翼リングと、
軸中心を前記動翼の回転軸に一致させて、前記動翼より下流側の前記筒体の内部に設けられ、前記動翼と一体となって前記筒体の中心軸のまわりに回転可能なマグネットと、
前記筒体の管壁を間に挟んで前記マグネットに対向して前記筒体の外部に設けられた第１のコイルと、
を備えたことを特徴とする水栓用発電機。
【請求項２】
前記動翼リングを、軸方向に前記動翼よりも長くしたことを特徴とする請求項１記載の水栓用発電機。
【請求項３】
前記動翼リングを、前記静翼よりも上流の前記筒体内部に延出させたことを特徴とする請求項１または２に記載の水栓用発電機。
【請求項４】
前記動翼リングはマグネット材料からなり、
前記筒体の管壁を間に挟んで前記動翼リングに対向して前記筒体の外部に設けられた第２のコイルをさらに備えたことを特徴とする請求項１〜３のいずれか１つに記載の水栓用発電機。
【請求項５】
前記動翼リングと、前記マグネットとが、前記筒体の軸方向に隙間なく密着していることを特徴とする請求項１〜４のいずれか１つに記載の水栓用発電機。
【請求項６】
給水の流入口と、
給水の吐水口と、
前記流入口から流入した給水を前記吐水口に導く給水流路と、
内部が前記給水流路に連通され、給水が流れる方向に対して、軸方向を略平行にして設けられた筒体と、
径外方に突出した複数の翼部を有し、前記筒体の中心軸のまわりに回転可能に前記筒体の内部に設けられた動翼と、
径外方に突出して形成され旋回流を形成する複数の固定翼部を有し、前記動翼よりも上流の前記筒体内部に前記筒体に対して固定して設けられた静翼と、
前記動翼の周面を囲むように前記翼部に設けられ、周方向に隣り合う翼部間の空間と、前記翼部と前記筒体の内周面との間の空間と、を隔てる動翼リングと、
軸中心を前記動翼の回転軸に一致させて、前記動翼より下流側の前記筒体の内部に設けられ、前記動翼と一体となって前記筒体の中心軸のまわりに回転可能なマグネットと、
前記筒体の管壁を間に挟んで前記マグネットに対向して前記筒体の外部に設けられた第１のコイルと、
を備えたことを特徴とする発電機付自動水栓装置。
【請求項７】
前記動翼リングを、軸方向に前記動翼よりも長くしたことを特徴とする請求項６記載の発電機付自動水栓装置。
【請求項８】
前記静翼リングを、前記静翼よりも上流の前記筒体内部に延出させたことを特徴とする請求項６または７に記載の発電機付自動水栓装置。
【請求項９】
前記動翼リングはマグネット材料からなり、
前記筒体の管壁を間に挟んで前記動翼リングに対向して前記筒体の外部に設けられた第２のコイルをさらに備えたことを特徴とする請求項６〜８のいずれか１つに記載の発電機付自動水栓装置。
【請求項１０】
前記動翼リングと、前記マグネットとが、前記筒体の軸方向に隙間なく密着していることを特徴とする請求項６〜９のいずれか１つに記載の発電機付自動水栓装置。
【発明の詳細な説明】
【技術分野】
【０００１】
本発明は、給水の流れを利用して発電する水栓用発電機及びこれを備えた自動水栓装置に関する。
【背景技術】
【０００２】
従来より、蛇口の下に手を差し出すことによって、これをセンサが感知し、蛇口から水を自動的に吐水する自動水栓装置が知られている。また、そのような自動水栓装置の流路に小型発電機を配設し、この発電機で得られた電力を蓄電しておき、上述のセンサ等の回路の電力を補う装置も知られている。
【０００３】
例えば、特許文献１には、回転体の下流側に回転体と中心軸を一致させてマグネットが設けられた構成が開示されている。
【０００４】
回転体のまわりの流れには、回転体の外側（径外方）を流れ回転体に回転力を与えない外流と、回転体の内側（翼部）を流れ回転体に回転力を与える内流がある。発電効率を上げるには、内流の流量を多くして、回転体のトルクを大きくする必要がある。しかし、特許文献１では、回転体と配管との間には何も部材が介在されておらず、外流の流路面積が広がり、外流に対する流路抵抗が小さいため、外流の流量が多く、発電効率の低下につながる。特に、自動水栓のような比較的流量が少ないものでは、回転体に回転力を与えない無駄な流れを制限する必要性が高い。
【特許文献１】特開２００４−３３６９８２号公報
【発明の開示】
【発明が解決しようとする課題】
【０００５】
本発明は、回転体に回転力を与えない無駄な流れを制限し、発電効率を向上させる水栓用発電機及び発電機付自動水栓装置を提供する。
【課題を解決するための手段】
【０００６】
本発明の一態様によれば、内部が給水流路に連通され、給水が流れる方向に対して、軸方向を略平行にして設けられる筒体と、径外方に突出した複数の翼部を有し、前記筒体の中心軸のまわりに回転可能に前記筒体の内部に設けられた動翼と、径外方に突出して形成され旋回流を形成する複数の固定翼部を有し、前記動翼よりも上流の前記筒体内部に前記筒体に対して固定して設けられた静翼と、前記動翼の周面を囲むように前記翼部に設けられ、周方向に隣り合う翼部間の空間と、前記翼部と前記筒体の内周面との間の空間と、を隔てる動翼リングと、軸中心を前記動翼の回転軸に一致させて、前記動翼より下流側の前記筒体の内部に設けられ、前記動翼と一体となって前記筒体の中心軸のまわりに回転可能なマグネットと、前記筒体の管壁を間に挟んで前記マグネットに対向して前記筒体の外部に設けられた第１のコイルと、を備えたことを特徴とする水栓用発電機が提供される。
【０００７】
また、本発明の他の一態様によれば、給水の流入口と、給水の吐水口と、前記流入口から流入した給水を前記吐水口に導く給水流路と、内部が前記給水流路に連通され、給水が流れる方向に対して、軸方向を略平行にして設けられた筒体と、径外方に突出した複数の翼部を有し、前記筒体の中心軸のまわりに回転可能に前記筒体の内部に設けられた動翼と、径外方に突出して形成され旋回流を形成する複数の固定翼部を有し、前記動翼よりも上流の前記筒体内部に前記筒体に対して固定して設けられた静翼と、前記動翼の周面を囲むように前記翼部に設けられ、周方向に隣り合う翼部間の空間と、前記翼部と前記筒体の内周面との間の空間と、を隔てる動翼リングと、軸中心を前記動翼の回転軸に一致させて、前記動翼より下流側の前記筒体の内部に設けられ、前記動翼と一体となって前記筒体の中心軸のまわりに回転可能なマグネットと、前記筒体の管壁を間に挟んで前記マグネットに対向して前記筒体の外部に設けられた第１のコイルと、を備えたことを特徴とする発電機付自動水栓装置が提供される。
【発明の効果】
【０００８】
本発明によれば、回転体に回転力を与えない無駄な流れを制限し、発電効率を向上させる水栓用発電機及び発電機付自動水栓装置が提供される。
【発明を実施するための最良の形態】
【０００９】
以下に、図面を参照しつつ、本発明の実施形態について説明する。
【００１０】
［第１の実施形態］
図１１は、本発明の実施形態に係る発電機付自動水栓装置（以下、単に自動水栓装置とも称する）の設置態様を例示する模式図である。  
図１２は、同自動水栓装置の要部の模式図である。
【００１１】
本実施形態に係る自動水栓装置は、例えば洗面台２などに取り付けられる吐水金具３を備える。吐水金具３は、配管４を介して、水道水等の流入口５に接続されている。吐水金具３は、円筒状の本体３ａと、この本体３ａの径外方に延出して本体３ａの上部に設けられた吐水部３ｂとを有する。吐水部３ｂの先端側には、吐水口６が形成され、さらにこの吐水口６の近傍にセンサ７が内蔵されている。
【００１２】
配管４および吐水金具３の内部には、流入口５から流入した給水を、吐水口６へと導く給水流路が形成されている。吐水金具３の本体３ａの内部には、その給水流路を開閉する電磁弁８が内蔵され、さらに電磁弁８の下流側には、吐水量を一定に制限する定流量弁５５が内蔵されている。また、水道元圧が使用圧よりも高すぎる場合に減圧するための減圧弁または調圧弁（図示省略）が、電磁弁８より上流側に内蔵されている。また、定流量弁５５より下流の吐水部３ｂの内部には、発電機１１が内蔵されている。また、本体３ａには、発電機１１で発電された電力を充電しておく充電器５６と、センサ７の駆動と電磁弁８の開閉を制御する制御部５７が設けられている。発電機１１は、定流量弁５５よりも下流側に配設されているため、水道元圧（一次圧）が、発電機１１に直接作用しない。なお、定流量弁５５、減圧弁、調圧弁は、必要に応じて適宜設けられる。
【００１３】
図１は、その発電機１１の内部を表す模式図である。
【００１４】
発電機１１は、カバー１２（図１２参照）の中に、主として、筒体１３、静翼１４、動翼１５、動翼リング４１、マグネットＭ、コイル１６を備える。
【００１５】
筒体１３は、その内部が給水流路に連通した状態で、吐水金具３の吐水部３ｂに内蔵され、筒体１３の軸方向は、給水が流れる方向に対して略平行になるよう設置される。筒体１３の内部には、給水が流れる方向の上流側から順に、静翼１４、動翼１５、マグネットＭ、軸受け１７が設けられ、これらは、互いの軸中心を、筒体１３の軸中心に一致させている。なお、マグネットＭと軸受け１７の軸方向との配置関係は、図１に表される具体例の逆でもよく、動翼１５の下流に軸受け１７を、この軸受け１７の下流にマグネットＭを設けてもよい。
【００１６】
静翼１４は、円柱体の上面（上流側に位置する面）に、円錐体を一体に設けた形状を呈する。静翼１４の周面には、径外方に突出した複数の突起状の固定翼部１８が設けられている。固定翼部１８は、静翼１４の軸中心に対して右方向にねじれつつ、上流側から下流側に向けて傾斜している。静翼１４は、筒体１３に対して固定されている。
【００１７】
静翼１４は、その固定翼部１８が筒体１３の内周面に固定されることで、筒体１３に対して固定される。あるいは、図８を参照して後述するように、筒体１３の内周面に固定された静翼支持体４６に対して、静翼１４の円錐体部分の頂部近傍がつり下げられるようにしてもよい。
【００１８】
静翼１４の下流側に、静翼１４に対して離間して動翼１５が設けられている。動翼１５は、円柱状を呈し、その周面には、径外方に突出した複数の突起状の翼部１９が設けられている。動翼１５の翼部１９は、静翼１４の固定翼部１８とは逆に、軸中心に対して左方向にねじれつつ、上流側から下流側に向けて傾斜している。動翼１５は、筒体１３に対して固定された軸受け１７上に回転可能に支持されている。すなわち、動翼１５は、筒体１３の中心軸のまわりに回転可能となっている。
【００１９】
動翼１５の周面を囲むようにその翼部１９には、動翼リング４１が設けられている。動翼リング４１は、両端部が開放された円筒状を呈し、その内周面が翼部１９に接して取り付けられている。周方向に隣り合う翼部１９間の空間と、翼部１９と筒体１３内周面との間の空間とは、動翼リング４１によって隔てられている。
【００２０】
動翼リング４１と、筒体１３の内周面との間にはわずまな隙間が形成される。その隙間の径方向の幅は、動翼１５における翼部１９間の周面と、動翼リング４１の内周面との間の空間の径方向の幅よりも小さい。動翼リング４１は、静翼１４に対して離間している。
【００２１】
動翼１５の下流には、動翼１５に対して軸方向に離間して、マグネットＭが設けられている。マグネットＭは、中空部を有する筒状を呈する。
【００２２】
マグネットＭの下流には軸受け１７が設けられ、軸受け１７の中心部には、動翼１５の軸中心に固定された軸部材２４が回転可能に支持されている。軸部材２４は、マグネットＭの中空部および動翼１５を貫通して動翼１５の上流側に突出し、静翼１４に支持されている。軸部材２４の先端部と静翼１４とは、互いに固定されておらず、筒体１３に対して固定された静翼１４に対して軸部材２４は回転可能になっている。
【００２３】
軸部材２４には、径方向に延在する複数本の連結部材を介して、マグネット装着部材３６が固定されている。マグネット装着部材３６は、リング状のプレート部３７と、このプレート部３７の中央孔の縁部に一体に設けられ上流側に延在する筒部３８とを有する。マグネットＭは、その中空部を、マグネット装着部材３６の筒部３８の外周面に嵌合させてプレート部３７上に固定されている。したがって、マグネットＭは、マグネット装着部材３６および軸部材２４を介して、動翼１５に対して固定されており、動翼１５が回転すると、マグネットＭは動翼１５と一体となって回転する。マグネットＭの外周面は、筒体１３の内周面に対してわずかな隙間をあけて対向しており、マグネットＭの回転は妨げられない。また、マグネットＭは、動翼１５および動翼リング４１に対して、軸方向に離間している。
【００２４】
あるいは、軸部材２４の両端部をそれぞれ軸受け１７の中心部と静翼１４に固定させ、その軸部材２４に対して回転可能に動翼１５をはめ込む構成としてもよい。この具体例の場合、マグネット装着部材３６を、軸部材２４のまわりを回転可能に軸部材２４に対して係合させ、さらに筒部３８の上端を動翼１５に固定させれば、動翼１５が回転すると、マグネットＭはマグネット装着部材３６と共に軸部材２４のまわりに回転する。
【００２５】
マグネット装着部材３６および軸受け１７には、筒体１３内を流れる流水の流れを許容する貫通孔部が形成されている。
【００２６】
筒体１３の外側における、マグネットＭに対向する部分には、マグネットＭの軸方向長さに合わせて、例えば２つのコイル１６が設けられている。コイル１６は、図２、３に表される１対のヨーク２５、２６と、これらヨーク２５、２６が組み合わされて形成される環状の空間内に配設されるコイル配線部１６ａとを有する。
【００２７】
ヨーク２５、２６は、共に磁性体からなる。ヨーク２５は、コイル配線部１６ａの一方の端面部に対向される環状プレート２５ａと、コイル配線部１６ａの周面部に対向される周面部２５ｂとを有し、さらに環状プレート２５ａの内周縁部には、軸方向に突出した複数の極歯２５ｃが設けられている。ヨーク２６は、コイル配線部１６ａの他方の端面部に対向される環状プレート２６ａと、この環状プレート２６ａの内周縁部に、軸方向に突出して設けられた複数の極歯２６ｂとを有する。ヨーク２５の極歯２５ｃは、周方向に沿って等間隔で設けられ、ヨーク２６の極歯２６ｂも周方向に沿って等間隔で設けられており、図２に表されるように、一方のヨークの極歯の間に、他方のヨークの極歯を位置させて、両ヨーク２５、２６の極歯２５ｃ、２６ｂは、コイル配線部１６ａの内周面に対向する。
【００２８】
両ヨーク２５、２６の極歯２５ｃ、２６ｂは、筒体１３の外周面におけるマグネットＭに対向する部分に当接して設けられる。マグネットＭは、図４に表されるように、周方向にＮ極とＳ極とが交互に着磁されており、それぞれのヨーク２５、２６の極歯２５ｃ、２６ｂは、筒体１３の管壁を間に挟んで、マグネットＭのＮ極またはＳ極に対向する。さらに、コイル配線部１６ａは、極歯２５ｃ、２６ｂおよび筒体１３の管壁を間に挟んで、マグネットＭに対向する。
【００２９】
次に、本実施形態に係る水栓用発電機及びこれを備えた自動水栓装置の作用について説明する。
【００３０】
図１３は、本実施形態に係る発電機付自動水栓装置において、給水の流れ（実線の矢印）と、電気の流れ（点線の矢印）とを表す模式図である。  
使用者が、吐水口６の下に手をかざすと、これをセンサ７が感知して、電磁弁８を開にする。これにより、発電機１１の筒体１３の内部に給水が供給され、筒体１３の内部を流れた水は吐水口６から吐水される。使用者が、吐水口６の下から手を遠ざけると、電磁弁８が閉となり、自動で水が止まる。
【００３１】
筒体１３内部に流れ込んだ流水は、静翼１４の円錐体表面を流れて径外方に拡散され、静翼１４の周面における固定翼部１８間を流れて、軸中心に対して右方向に旋回するような旋回流となって、動翼１５に向けて流れる。
【００３２】
静翼１４を流れた旋回流は、動翼１５の周面に設けられた翼部１９の上側の内壁面に当たって、動翼１５とマグネットＭを回転させるとともに、翼部１９間の周面を流れて、動翼１５とマグネットＭとの間の隙間に流れ込む。
【００３３】
このとき、動翼リング４１によって、動翼リング４１の外周面と筒体１３の内周面との間と、筒体１３の内側の翼部１９間とが隔離されており、静翼１４によって形成される旋回流の、遠心方向（径外方）への速度成分による動翼１５の径外方方向へ流れ出る流水の流量がなくなるため、より多くの流水が動翼リング４１の内側を流れ、翼部１９間の動翼１５の周面を流れる。
【００３４】
動翼１５とマグネットＭとの間の隙間に流れ込んだ流水は、マグネットＭと筒体１３の内周面との間の隙間はわずかであるので、大部分は径内方に流れて、マグネットＭの中空部に至る。さらに、流水は、マグネットＭの中空部を軸方向に流れて、マグネット装着部材３６および軸受け１７を通過して、筒体１３内部を抜け、吐水口６へと至る。
【００３５】
図１に図示される具体例では、静翼１４によって形成された旋回流が、動翼１５の翼部１９の上側に流入し、右方向に旋回した流れなので、翼部１９に右方向の力が作用し、動翼１５は右回りに回転する。動翼１５が回転するとマグネットＭも回転する。マグネットＭは、図４に表されるように、周方向に沿ってＮ極とＳ極が交互に並んで着磁されているため、筒体１３の管壁を挟んでマグネットＭに対向しているヨーク２５、２６の極歯２５ｃ、２６ｂの極性が変化していく。すなわち、ヨーク２５がＮ極のときヨーク２６がＳ極、ヨーク２５がＳ極のときヨーク２６がＮ極という状態が繰り返されることで、コイル配線部１６ａに対する鎖交磁束が変化し、コイル配線部１６ａに起電力が生じ、すなわち発電する。
【００３６】
発電機１１が発電した電力は、充電器５６へと充電された後、電磁弁８、センサ７、制御部５７の駆動に使用される。
【００３７】
図１４は、動翼リング４１を設けない、比較例に係る水栓用発電機の内部を表す模式図である。
【００３８】
この構成では、動翼１５と筒体１３内周面との間の隔壁がなく、静翼１４によって形成される旋回流は、遠心方向（径外方）への速度成分を持っているため、動翼１５の径外方を流れる流水の流量が多くなる。動翼１５の径外方を流れる流水は、動翼１５の翼部１９に回転力を与える流れとはならないので、動翼１５の径外方を流れる流水の流量が多くなると、発電能力の低下につながる。
【００３９】
これに対して本実施形態では、動翼リング４１によって、動翼１５の径外方に隔壁が形成され、動翼１５の周面を翼部１９に沿って流れる流量が多くなる。動翼１５の周面を翼部１９に沿って流れる流量が多くなることで、動翼１５の回転力がより高まる。これにより、発電能力が高まる。
【００４０】
以下、本発明の他の実施形態について説明する。なお、前述したものと同様の要素については、同一の符号を付して詳細な説明は省略する。
【００４１】
［第２の実施形態］
図５は、本発明の第２の実施形態に係る発電機の内部を表す模式図である。
【００４２】
本実施形態では、動翼リング４１をマグネット材料から構成し、この動翼リング４１との間に筒体１３の管壁を挟んで、動翼リング４１に対向して、筒体１３の外部にコイル１６をさらに設けた。
【００４３】
動翼１５が回転すると動翼リング４１も回転し、この動翼リング４１はマグネット材料からなるので、筒体１３の管壁を間に挟んで動翼リング４１に対向したコイル１６のコイル配線部１６ａに対する鎖交磁束が変化し、そのコイル配線部１６ａに起電力が生じ発電する。すなわち、第１の実施形態に比べて、コイル１６の数を増やした分だけ発電量を多くできる。
【００４４】
［第３の実施形態］
図６は、本発明の第３の実施形態に係る発電機の内部を表す模式図である。
【００４５】
本実施形態では、動翼リング４１の軸方向長さを、動翼１５の軸方向長さよりも長くしている。動翼リング４１の軸方向長さを長くした分だけ、動翼リング４１の外周面と筒体１３の内周面との間の流路の流路抵抗がさらに高まり、この結果、動翼リング４１の内側を流れる流量をより多くでき、動翼１５の回転力をより高めて、発電能力のよりいっそうの向上が図れる。
【００４６】
［第４の実施形態］
図７は、本発明の第４の実施形態に係る発電機の内部を表す模式図である。  
図８は、同第４の実施形態に係る発電機の模式断面図である。
【００４７】
本実施形態では、動翼リング５２を、静翼１４よりも上流の筒体１３内部に延出させている。静翼１４の周囲は、動翼リング５２によって囲まれている。静翼１４と、動翼リング５２の内周面との間には隙間が形成され、動翼リング５２の回転が妨げられない。静翼１４と、筒体１３内周面との間には、動翼リング５２が介在しているため、静翼１４を、筒体１３の内周面に固定させることはできない。そこで、本実施形態では、図８に表されるように、筒体１３の内周面に固定された静翼支持体４６に対して、静翼１４の円錐体部分の頂部近傍がつり下げられるようにすることで、静翼１４を筒体１３に対して固定している。なお、静翼支持体４６には、筒体１３内を流れる流水の流れを許容する貫通孔部が形成されている。
【００４８】
本実施形態では、静翼１４で形成される旋回流の遠心方向（径外方）への広がりを抑えて、動翼リング５２の内側を流れる流量をより多くでき、動翼１５の回転力をより高めて、発電能力のよりいっそうの向上が図れる。さらに、動翼リング４１がさらに長くなったために動翼リング４１の外周面と筒体１３の内周面との間の流路の流路抵抗がさらに高まり、この結果、動翼リング４１の内側を流れる流量をより多くでき、動翼１５の回転力をより高めて、発電能力のよりいっそうの向上が図れる。
【００４９】
［第５の実施形態］
図９は、本発明の第５の実施形態に係る発電機の内部を表す模式図である。
【００５０】
本実施形態では、上記第４の実施形態における動翼リング５２をマグネット材料から構成し、この動翼リング５２との間に筒体１３の管壁を挟んで、筒体１３の外部にコイル１６をさらに設けている。動翼１５が回転すると動翼リング５２も回転し、この動翼リング５２はマグネット材料からなるので、筒体１３の管壁を間に挟んで動翼リング５２に対向したコイル１６のコイル配線部１６ａに対する鎖交磁束が変化し、そのコイル配線部１６ａに起電力が生じ発電する。すなわち、コイル１６の数を増やした分だけ発電量をより多くできる。
【００５１】
［第６の実施形態］
図１０は、本発明の第６の実施形態に係る発電機の模式断面図である。
【００５２】
本実施形態では、動翼リング４１と、マグネットＭとを、筒体１３の軸方向に、例えば接着材等を用いて隙間なく密着している。これにより、軸方向に、より長い流路が径方向への隙間なく形成されるため、動翼１５の径外方の流路抵抗がさらに高まり、動翼１５の周面を固定翼部１８沿って流れる流量がさらに多くなる。これにより、発電能力がより高まる。
【００５３】
前述した各実施形態において、コイル配線部１６ａに生ずる起電圧Ｖ（＝−Ｎ（ｄφ／ｄｔ））は、コイル配線部１６ａの巻き数Ｎと磁束の変化率（ｄφ／ｄｔ）に比例する。ここで、コイル周囲に発生する磁束φの大きさは、対面したマグネットの形状及び保磁力によって変わってくる。  
したがって、マグネットＭの形状や保磁力により、磁束φが比較的小さい部位は、コイル配線部１６ａの巻き数Ｎを多くすることで、必要な発電量を確保できる。また、磁束φが比較的大きい部位は、コイル配線部１６ａの巻き数Ｎを小さくし、内部抵抗を少なくすることで、必要な発電量を確保できる。このように、磁束φにマッチングするように、マグネットＭに対向するコイル配線部１６ａの線径や巻き数（内部抵抗）を調整することで、発電効率を高めることができる。
【００５４】
また、動翼リング４１、５２の軸方向長さを、動翼１５の出力トルクにマッチングするように設計段階で調整することも、発電効率の向上につながる。
【００５５】
以上、具体例を参照しつつ本発明の実施形態について説明した。しかし、本発明は、それらに限定されるものではなく、本発明の技術的思想に基づいて種々の変形が可能である。
【００５６】
本発明の水栓用発電機が用いられる水栓装置としては、例えば、キッチン用水栓装置、リビングダイニング用水栓装置、シャワー用水栓装置、トイレ用水栓装置、洗面所用水栓装置などが挙げられる。また、人体検知センサを用いた自動水栓装置に限らず、例えば、手動スイッチのオン／オフによるワンタッチ水栓装置、流量をカウントして止水する定量吐水水栓装置、設定時間を経過すると止水するタイマー水栓装置などにも適用できる。また、発電された電力を、例えば、吐水のライトアップ、電解機能水の吐水、流量表示（計量）、温度表示、音声ガイドなどに用いてもよい。
【図面の簡単な説明】
【００５７】
【図１】本発明の第１の実施形態に係る水栓用発電機の内部を表す模式図である。
【図２】同実施形態において、ヨークおよびこの内部に収容されたコイルを表す斜視図である。
【図３】図２に表されるコイルおよびヨークの分解斜視図である。
【図４】同実施形態において、マグネットと、ヨークの極歯との配置関係を表す模式図である。
【図５】本発明の第２の実施形態に係る水栓用発電機の内部を表す模式図である。
【図６】本発明の第３の実施形態に係る水栓用発電機の内部を表す模式図である。
【図７】本発明の第４の実施形態に係る水栓用発電機の内部を表す模式図である。
【図８】同第４の実施形態に係る水栓用発電機の模式断面図である。
【図９】本発明の第５の実施形態に係る水栓用発電機の内部を表す模式図である。
【図１０】本発明の第６の実施形態に係る水栓用発電機の内部を表す模式図である。
【図１１】本発明の実施形態に係る発電機付自動水栓装置の設置態様を例示する模式図である。
【図１２】同自動水栓装置の要部の模式図である。
【図１３】本発明の実施形態に係る発電機付自動水栓装置において、給水の流れ（実線の矢印）と、電気の流れ（点線の矢印）とを表す模式図である。
【図１４】比較例に係る水栓用発電機の内部を表す模式図である。
【符号の説明】
【００５８】
３…吐水金具、５…流入口、６…吐水口、７…センサ、８…電磁弁、１１…発電機、１２…カバー、１３…筒体、１４…静翼、１５…動翼、１６…コイル、１６ａ…コイル配線部、１８…固定翼部、１９…翼部、２５，２６…ヨーク、２５ｃ，２６ｂ…極歯、４１，５２…動翼リング、Ｍ…マグネット
【図１】
2007274855.tif 000003
【図２】
2007274855.tif 000004
【図３】
2007274855.tif 000005
【図４】
2007274855.tif 000006
【図５】
2007274855.tif 000007
【図６】
2007274855.tif 000008
【図７】
2007274855.tif 000009
【図８】
2007274855.tif 000010
【図９】
2007274855.tif 000011
【図１０】
2007274855.tif 000012
【図１１】
2007274855.tif 000013
【図１２】
2007274855.tif 000014
【図１３】
2007274855.tif 000015
【図１４】
2007274855.tif 000016